(57)【要約】      （修正有）【課題】キャップ本体の上部開口部近辺における印鑑のぐらつきもなく、使用者の違和感を解消することのできる印鑑用キャップを提供する。【解決手段】印鑑用キャップは、前記印面が存在する先端部を覆うことができるキャップ本体１３と、キャップ本体の内周面に取り付けられた保持筒１４とを備えたものであって、キャップ本体は、先端が蓋部１６によって閉鎖された有底の筒状体であり、保持筒は、両端が開放された筒状体であり、保持筒の内周面には、第１および第２の小径部１８，１９が一体に設けられたものであって、第１の小径部１８は、印鑑の先端部に印鑑用キャップ１２を取り付けた際に、印鑑の先端部における外周面を圧迫して印鑑のホールドが可能であり、第２の小径部１９は、印鑑の先端部に印鑑用キャップを取り付けた際に、印鑑のキャップ本体の開放端部側における外周面に、ほぼ接する径に形成されていることを特徴とする。【選択図】図２
0003157234.tif 000002
【実用新案登録請求の範囲】
【請求項１】
印鑑の、印面が存在する先端部を覆うことができる印鑑用キャップであり、
この印鑑用キャップは、前記印面が存在する先端部を覆うことができるキャップ本体と、キャップ本体の内周面に取り付けられた保持筒とを備えたものであって、
キャップ本体は、先端が蓋部によって閉鎖された有底の筒状体であり、保持筒は、両端が開放された筒状体であり、
保持筒の内周面には、第１および第２の小径部が一体に設けられたものであって、
第１の小径部は、保持筒の内周面の深部において、印鑑の先端部の通過を許容する基準面よりも内側に突出したものであり、
第２の小径部は、保持筒の内周面の浅部において、印鑑の先端部の通過を許容する基準面とほぼ等しく内側に突出したものであり、
第１の小径部は、印鑑の先端部に印鑑用キャップを取り付けた際に、印鑑の先端部における外周面を圧迫して印鑑のホールドが可能であり、
第２の小径部は、印鑑の先端部に印鑑用キャップを取り付けた際に、印鑑のキャップ本体の開放端部側における外周面に、ほぼ接する径に形成されていることを特徴とする印鑑用キャップ。
【請求項２】
前記保持筒が、キャップ本体の内周側の壁面内に形成された凹所にはめ込まれて抜け止めされていることを特徴とする請求項１に記載の印鑑用キャップ。
【請求項３】
前記保持筒が、第１の小径部側の端部において、キャップ本体の内周面よりも内側に浮いていることを特徴とする請求項１に記載の印鑑用キャップ。
【請求項４】
前記保持筒の第２の小径部は、印鑑がキャップ本体の開放端部側においてぐらつくことを防止するよう、印鑑の先端部の通過を許容する基準面よりも内側に突出していることを特徴とする請求項１に記載の印鑑用キャップ。
【考案の詳細な説明】
【技術分野】
【０００１】
この考案は、種々の天然素材等からなる印鑑の印面を保護するための印鑑用キャップに関するものである。
印鑑の材料としては、従来から水牛の角や象牙などの天然素材が用いられてきた。そして、この印鑑の印面を磨耗や衝撃から保護するため、印鑑の先端部を覆うことができる印鑑用キャップ（「サヤ」とも呼ばれる）もまた広く用いられてきている。
【背景技術】
【０００２】
この種の印鑑用キャップとしては従来、特開２００６−１０３２１５号公報（特許文献１参照）のように、印鑑と同一の天然素材からなるキャップ本体と、キャップ本体の内周面に取り付けられた保持筒とを備えたものであって、キャップ本体は、先端が蓋部によって閉鎖された有底の筒状体であり、保持筒は、両端が開放された筒状体であり、保持筒の内周面には、小径部が一体に設けられたものであって、この小径部は、保持筒の内周面のうちで、印鑑の先端部の通過を許容する基準面よりも内側に突出し、印鑑の先端部に印鑑用キャップを取り付けた際に、印鑑先端部の外周面に圧迫されて変形可能としたものが考案されている。
また、特開２００８−１３２６８１号公報（特許文献２参照）に示す印鑑用キャップは、印面キャップを上方が開口した有底筒状のキャップ体とキャップ体内に配された係止体とで構成し、上記キャップ体の開口部近傍の内周縁には凹部が全周にわたって設けられ、該凹部は印鑑挿入時に印鑑により圧迫されて伸びる係止体バネ部の伸び代が確保される程度の空間を備えている。
そして、係止体は係止体内底部と複数の係止体バネ部を備え、各係止体バネ部は係止体内底部から上方向に立ち上がるように設けられ、薄い円板状の係止体内底部はキャップ体の内底面の略全面を被覆可能に形成され、各係止体バネ部は可撓性又は弾性を有する薄板により形成されていて、側面視において内方に向かって膨らんだ弧形に形成されている。
【０００３】
さらに従来、図３に示すような、印鑑の、印面が存在する先端部を覆うことができる印鑑用キャップが提案されている。
この印鑑用キャップ２１は、前記印鑑３１の印面３２が存在する先端部を覆うことができるキャップ本体２２と、キャップ本体２２の内周面に取り付けられた保持筒２３とを備えたものであり、キャップ本体２２は、先端が蓋部２４によって閉鎖された有底の筒状体である。
また、前記保持筒２３は両端が開放された筒状体であり、保持筒２３の内周面には印鑑３１をホールドするための小径部２５が一体に設けられている。
【先行技術文献】
【特許文献】
【０００４】
【特許文献１】特開２００６−１０３２１５号公報
【特許文献２】特開２００８−１３２６８１号公報
【考案の概要】
【考案が解決しようとする課題】
【０００５】
しかしながら、特開２００６−１０３２１５号公報（特許文献１参照）や特開２００８−１３２６８１号公報（特許文献２参照）、および図３の先行技術に示す印鑑用キャップにおいては、印鑑の先端部を保持する機能はあるものの、図３に示すようにキャップ本体２２の上部開口部近辺において印鑑３１とキャップ本体２２内周面との間に隙間ｇが生じ、その結果として印鑑３１がぐらつきやすく、使用者が違和感を感じてしまうという問題があった。
特に、天然素材を用いた印鑑の場合、長期間使用している間に素材の収縮等によってキャップ本体と印鑑の外周面との間にギャップを生じやすく、そのような傾向が顕著になるという問題があった。
【０００６】
この考案は上記従来例の問題点に鑑み、キャップ本体の上部開口部近辺における印鑑のぐらつきもなく、使用者の違和感を解消することのできる印鑑用キャップを提供することを目的とするものである。
【課題を解決するための手段】
【０００７】
上記課題を解決するために、請求項１に記載の考案は、印鑑の、印面が存在する先端部を覆うことができる印鑑用キャップであり、
この印鑑用キャップは、前記印面が存在する先端部を覆うことができるキャップ本体と、キャップ本体の内周面に取り付けられた保持筒とを備えたものであって、
キャップ本体は、先端が蓋部によって閉鎖された有底の筒状体であり、保持筒は、両端が開放された筒状体であり、
保持筒の内周面には、第１および第２の小径部が一体に設けられたものであって、
第１の小径部は、保持筒の内周面の深部において、印鑑の先端部の通過を許容する基準面よりも内側に突出したものであり、
第２の小径部は、保持筒の内周面の浅部において、印鑑の先端部の通過を許容する基準面とほぼ等しく内側に突出したものであり、
第１の小径部は、印鑑の先端部に印鑑用キャップを取り付けた際に、印鑑の先端部における外周面を圧迫して印鑑のホールドが可能であり、
第２の小径部は、印鑑の先端部に印鑑用キャップを取り付けた際に、印鑑のキャップ本体の開放端部側における外周面にほぼ接する径に形成されていることを特徴とするものである。
【０００８】
請求項２に記載の考案は、前記保持筒が、キャップ本体の内周側の壁面内に形成された凹所にはめ込まれて抜け止めされていることをも特徴とする印鑑用キャップである。
【０００９】
請求項３に記載の考案は、前記保持筒が、第１の小径部側の端部において、キャップ本体の内周面よりも内側に浮いていることをも特徴とする印鑑用キャップである。
【００１０】
請求項４に記載の考案は、前記保持筒の第２の小径部が、印鑑がキャップ本体の開放端部側においてぐらつくことを防止するよう、印鑑の先端部の通過を許容する基準面よりも内側に突出していることをも特徴とするものである。
【考案の効果】
【００１１】
請求項１の考案によれば、印鑑が長期間の使用の間に収縮しても、キャップ本体の上部開口部近辺における印鑑のぐらつきもなく、使用者の違和感や不安感を解消することのできる印鑑用キャップを提供することができるようになった。
請求項２の考案によれば、前記保持筒が、キャップ本体の内周側の壁面内に形成された凹所にはめ込まれているので、前記保持筒が確実に抜け止めされて使用中に外れるおそれがない。
請求項３の考案によれば、前記保持筒が、第１の小径部側の端部において、キャップ本体の内周面よりも内側に浮いているため、保持筒をキャップ本体に無理なく取り付けることができる。
請求項４の考案によれば、前記保持筒の第２の小径部が、印鑑の先端部の通過を許容する基準面よりも内側に突出しており、印鑑がキャップ本体の開放端部側におけるぐらつきを確実に防止することができ、非常に商品価値の高い印鑑用キャップを提供することができるようになった。
【図面の簡単な説明】
【００１２】
【図１】印鑑を印鑑用キャップにはめ込む前の状態を示す要部断面図である。
【図２】印鑑を印鑑用キャップにはめ込んだ状態を示す要部断面図である。
【図３】従来例の保持筒を示す要部断面図である。
【考案を実施するための最良の形態】
【００１３】
以下、図面に基づきこの考案の実施の形態を詳細に説明する。
図１および図２はこの考案の印鑑用キャップの１実施例を示すものであり、この考案の印鑑用キャップ１２を取り付ける相手方である印鑑１０は、先端部１１が断面円形の丸印とされている。なお、この考案は、丸印に限られたものではなく、先端部１１の断面形状が四角形などの多角形の印鑑であっても良い。
印鑑１０の素材としては、水牛や牛の角、象牙やツゲなどの木材、その他種々の天然素材が利用できる。
【００１４】
印鑑用キャップ１２は、印鑑１０の印面１０ａが存在する先端部１１を覆うことができるものである。そして、印鑑用キャップ１２はキャップ本体１３と保持筒１４とから構成されている。
前記キャップ本体１３は、印鑑１０と同一の天然素材によって作成することが望ましい。キャップ本体１３の形状は、基端側が、印鑑１０の先端部１１が通過可能な開口部１５とされ、先端側が蓋部１６を設けることにより閉鎖された、有底の筒状体である。そしてこのキャップ本体１３の内周面に保持筒１４が取り付けられる。
【００１５】
保持筒１４は、前記キャップ本体１３の内周側の壁面内に設けた浅底の凹所１７に取り付けられ、抜け止めされている。したがって、保持筒１４が使用中に前記キャップ本体１３から外れるおそれがない。
この考案において前記保持筒１４は合成樹脂製であり、両端が開口された中空の筒状体とされている。具体的には、熱可塑性樹脂であるポリオキシメチレン（ＰＯＭ）が用いられており、この樹脂は耐薬品性、耐クリープ性、耐疲労性、耐摩擦磨耗性に優れるものであって、朱肉の成分が付着しても腐蝕する恐れのないものである。なお、この考案の保持筒１４に用いる素材はこれに限られたものではなく、他の合成樹脂や金属を用いたものであっても良い。
【００１６】
また保持筒１４は、後述の各小径部１８，１９を除く筒状体の内径が、印鑑１０の先端部１１の外径よりも大きく形成されたものである。つまり、上記のキャップ本体１３に取り付けられた状態において、印鑑１０の先端部１１の通過を許容する大きさのものである。
そして、この考案の保持筒１４において、図に示すように第１の小径部１８は、保持筒１４の内周面の深部において、印鑑１０の先端部１１の通過を許容する基準面よりも内側に突出させてある。
それゆえ、印鑑１０が長期間の使用の間に収縮しても、キャップ本体１３の上部開口部１５近辺における印鑑１０のぐらつきもなく、使用者の違和感や不安感を解消することのできる印鑑用キャップ１２を提供することができるようになった。
他方、第２の小径部１９は、保持筒１４の内周面の浅部において、印鑑１０の先端部１１の通過を許容する基準面とほぼ等しく内側に突出させてある。
したがって、第１の小径部１８は、印鑑１０の先端部１１に印鑑用キャップ１２を取り付けた際に、印鑑１０の先端部１１における外周面を圧迫して印鑑１０を確実にホールドすることが可能である。
さらに第２の小径部１９は、印鑑１０の先端部１１に印鑑用キャップ１２を取り付けた際に、印鑑１０のキャップ本体１３の開放端部側における外周面にほぼ接する径に形成されている。
【００１７】
前記保持筒１４は、第１の小径部１８側の端部において、キャップ本体１３の内周面よりも内側に浮く位置に形成されている。したがって、保持筒１４をキャップ本体１３に押し込む形で無理なく取り付けることができる。
【００１８】
前記保持筒１４は、第２の小径部１９が印鑑１０の先端部１１の通過を許容する基準面よりも内側に突出しており、印鑑１０をキャップ本体１３に収納した状態においては、印鑑１０がキャップ本体１３の上部開口部１５近辺においてぐらつくことを確実に防止することができる。
すなわち、この考案によれば非常に商品価値の高い印鑑用キャップを提供することができるのである。
【符号の説明】
【００１９】
１０  印鑑
１１  先端部
１２  印鑑用キャップ
１３  キャップ本体
１４  保持筒
１５  開口部
１６  蓋部
１７  凹所
１８  第１の小径部
１９  第２の小径部
【図１】
0003157234.tif 000003
【図２】
0003157234.tif 000004
【図３】
0003157234.tif 000005